(57)【要約】【課題】従来の色票とともに被写体を撮影する方法において、従来の方法では、色票の変更に対応して、フレームメモリやプログラムを変更する必要があり、作業の効率が悪いという問題があった。また、色補正を行うとホワイトバランスが崩れてしまった。また、ホワイトバランスが崩れた画像については、それを補正することができなかった。【解決手段】色補正を行うソフトウェアは、あらかじめ複数の色票の色情報を有しており、色票番号などの入力によってその色情報を簡単に呼び出すことができる。また、明度、彩度、色相それぞれに対して色補正を行うので、色バランスが崩れたり、ホワイトバランスが崩れたりすることなく、適切な色補正を行うことができる。またグレイバランスを行う機能を有することによって、グレイバランスが崩れた画像に対しても適切な色補正ができるようになった。【選択図】図１
2010130682.tif 000002
【特許請求の範囲】
【請求項１】
被写体と被写体に応じて選択された色票とを併置し撮影した画像に対して、あらかじめ測定された色票の色情報と撮影画像の色票部の画像データとの対応関係からソフトウェアによって色補正を行う色補正方法において、前記ソフトウェアはあらかじめ複数の色票に対応する色情報を有し、表示された撮影画像上で色票部を範囲指定することにより撮影画像の色票部の画像データが選択され、かつ色票の番号や記号の選択あるいは入力に応じて色票に対応する色情報が選択され、選択された色情報と指定された色票部の画像データの対応関係から撮影画像全体の色補正を行うことを特徴とする色補正方法。
【請求項２】
選択された色情報と指定された色票部の画像データのそれぞれの明度、彩度、色相データの対応関係から撮影画像全体の色補正を行うことを特徴とする請求項１記載の色補正方法。
【請求項３】
撮影画像内の白色あるいは灰色部、あるいは、白色あるいは灰色色票の画像データに基づいて、グレイバランスを行う機能を有することを特徴とする請求項２記載の色補正方法。
【発明の詳細な説明】
【技術分野】本発明は、撮影した被写体をソフトウェアによって色補正する方法において、被写体を撮影した画像を色再現性よく色補正する方法に関する。
【背景技術】
【０００１】従来は図９の２０１に示したように、撮像装置２０１において、記録した被写体を既知の色彩情報を持つ色票とともに撮影し、撮影データをコンピュータに入力し、その撮影データに対して前記色票の色彩情報を目標値とする色補正を行う方法が知られている。【０００２】撮像装置２０１は、被写体２０３を色票２０２とともにカメラ２０４で撮影し、撮影画像をデジタルデータ化した後に色票部の撮影データを色票の目標値にするように色補正を行うように構成されている。【０００３】このように、最適な色調整を行うために、色票とともに撮影して補正する方法が知られている。（例えば、特許文献参照）。
【特許文献】特開平５−１０３３３６号公報
【発明の開示】
【発明が解決しようとする課題】
【０００４】しかしながら、従来の方法ではいくつかの問題点があることがわかった。まず、色票とともに被写体を撮影する方法では、様々な被写体に合わせて色票を変更する必要があるが、従来の方法では、色票の変更に対応して、フレームメモリやプログラムを変更する必要があり、作業の効率が悪いという問題があった。また、色票の色彩情報がわからないときは、色票の色度測定を行い、それに対応したフレームメモリやプログラムの変更を行う必要もある。また、従来の方法で、色票の色彩情報を目標として色補正を行ったところ、良好な画像を得ることができなかった。具体的に記すと、色補正を行った結果、ホワイトバランス（被写体の白を白に再現すること）が崩れてしまった。また、色票と異なる色に関しても、色補正後に適切な色とならないという現象が発生した。さらにホワイトバランスが崩れた画像については、それが補正することができず、良好な色補正を行うことができないという問題点があった。【０００５】そこで、本発明は、被写体を色票とともに撮影し、色補正を行う方法において、選択した色票に応じて、簡易に色補正が行えるように工夫したとともに、選択した色票の色情報に応じた色変換を行うに際し、適切な色に変換できるような色補正方法を提供することを目的とする。
【課題を解決するための手段】
【０００６】前記した目的を達成するためになされた請求項１に記載した発明は、被写体と被写体に応じて選択された色票とを併置し撮影した画像に対して、あらかじめ測定された色票の色情報と撮影画像の色票部の画像データとの対応関係からソフトウェアによって色補正を行う色補正方法において、前記ソフトウェアはあらかじめ複数の色票に対応する色情報を有し、表示された撮影画像上で色票部を範囲指定することにより撮影画像の色票部の画像データが選択され、かつ色票の番号や記号の選択あるいは入力に応じて色票に対応する色情報が選択され、選択された色情報と指定された色票部の画像データの対応関係から撮影画像全体の色補正を行うことを特徴とする。【０００７】請求項１に記載した色補正方法によれば、色補正を行うソフトウェアは、あらかじめ複数の色票の色情報を有しており、色票番号などの入力によってその色情報を簡単に呼び出すことができる。またソフトウェアのウィンドウ上に表示された撮影画像上で、色票部を範囲指定することによって、色票を指定し、前記した色票の色情報と範囲指定した部分の画像データから色補正を簡単に行うことができる。【０００８】また、請求項記載の色補正方法は、請求項２に記載の発明のように、選択された色情報と指定された色票部の明度、彩度、色相それぞれ画像データの対応関係から撮影画像全体の色補正を行うことによって、明度、彩度、色相それぞれに対して色補正を行うので、色バランスが崩れたり、ホワイトバランスが崩れたりすることなく、適切な色補正を行うことができるようになった。【０００９】また、請求項２記載の色補正方法は、請求項３記載の発明のように、撮影画像内の白色あるいは灰色部、あるいは、白色あるいは灰色色票の画像データに基づいて、グレイバランスを行う機能を有することによって、グレイバランスが崩れた画像に対しても適切な色補正ができるようになった。
【発明の効果】
【００１０】本発明の色補正方法によれば、色補正を行うソフトウェアはあらかじめ複数の色票に対応する色情報を有しており、表示された撮影画像上で色票部を範囲指定することによって撮影画像の色票部の画像データが選択され、かつ色票の番号や記号の選択あるいは入力に応じて色票に対応する色情報が選択され、選択された色情報と指定された色票部の画像データの対応関係から撮影画像全体の色補正を行うので、様々な被写体に応じて色票を変更しても、簡単に色票に応じた設定を行うことができる。また、選択された色情報と指定された色票部の明度、彩度、色相それぞれ画像データの対応関係から撮影画像全体の色補正を行うので、被写体の色だけでなく、その他の色に対して色補正が適切に行われる。【００１１】また、撮影画像内の白色あるいは灰色部、あるいは、白色あるいは灰色色票の画像データに基づいて、グレイバランスを行う機能を有するので、被写体の白は白に色補正され、良好な画像が得られる。また、表示された撮影画像上での色票部の指定は画像認識によって自動的になされるので、更に簡易に効率よく、色補正を行うことができる。
【発明を実施するための最良の形態】
【００１２】本発明の色補正方法についての第一の実施例について説明する。
図１は、本実施例の色補正システムの色補正方法を現した図であって、図１が本発明の全体システムの説明図であり、図２は本発明で使用するソフトウェアの画面説明図である。図３は、ソフトウェアが色補正する流れを説明したフローチャートを示す。【００１３】図１に示すように、本発明の実施例１は被写体１を被写体の色と近い色を持つ色票２をデジタルカメラ３によって撮影する。たとえば、被写体がりんごであれば、赤系のりんごに近い色票を選択する。撮影したデジタル画像を色補正するソフトウェアは、コンピューター４にインストールされ、コンピューター用のモニタ５で表示される。図２はコンピューター用モニタに表示された色補正ソフトウェアの表示画面を示す。デジタルカメラ３によって撮影された画像は、メモリやネットワークなどによってコンピューター４に転送され、ソフトウェア６０は画像を表示するウィンドウ６１に画像をロードして表示する。【００１４】以下図３のフローチャートを用いてソフトウェアの色補正処理の流れを説明する。撮影した画像Ｐをロードして、表示ウィンドウに表示する（Ｆ３１）。表示された撮影画像の中の色票部分をマウスのクリック操作などで範囲指定を行う。【００１５】ソフトウェアは範囲指定がされると、指定範囲内の画像データの平均値Ｒｇ，Ｇｇ，Ｂｇを算出し（Ｆ３３）、色票番号入力ウィンドウが開き、色票の番号をウィンドウに入力する（Ｆ３４）。色票の番号と、色票のあるべきＲＧＢ値の対応テーブルはあらかじめソフトウェアに記憶されており、この図示しないテーブルから色票の番号に応じた色票の目標値Ｒｍ，Ｇｍ，Ｂｍを取得する（Ｆ３５）。さらに図２の色変換指示ボタン６３をクリックすることによって変換指示がされる（Ｆ３６）。指定範囲内の画像データの平均値（範囲指定部色票データＲｇ，Ｇｇ，Ｂｇ）と色票の目標値Ｒｍ，Ｇｍ，Ｂｍの関係に応じて、変換テーブルＴ１を作成し（Ｆ３７）、撮影画像Ｐを色変換テーブルＴ１を用いて変換する（Ｆ３８）。【００１６】以上のように本発明の色補正方法についての第一の実施例によれば、色補正を行うソフトウェアはあらかじめ複数の色票に対応する色情報を有しており、表示された撮影画像上で色票部を範囲指定することによって撮影画像の色票部の画像データが選択され、かつ色票の番号や記号の選択あるいは入力に応じて色票に対応する色情報が選択され、選択された色情報と指定された色票部の画像データの対応関係から撮影画像全体の色補正を行うので、様々な被写体に応じて色票を変更しても、簡単に色票に応じた設定を行うことができる。【００１７】以上、本発明の実施例１について説明したが、本発明は、実施例に限定されるものでなく、以下の構成で行うことができる。【００１８】図３の３５までは同様に処理される（〜Ｆ４５）。指定範囲内の画像データの平均値（範囲指定部色票データＲｇ，Ｇｇ，Ｂｇ）と色票の目標値Ｒｍ，Ｇｍ，Ｂｍをそれぞれ明度、色相、彩度のデータに変換する（Ｆ４６）。ちなみにＲＧＢ値から明度、色相、彩度データへの変換の一例を図５の式に示すが、これに限るものではない。【００１９】変換した、それぞれの明度、彩度、色相データ（Ｙｇ，ＳＤｇ，ＳＫｇ）と（Ｙｍ，ＳＤｍ，ＳＫｍ）から色変換テーブルＴ２を作成し（Ｆ４８）、撮影画像Ｐ２を図５の式によって、明度、彩度、色相データに変換（Ｆ４９）後、色変換テーブルＴ２によって変換し（Ｆ５０）、再度、ＲＧＢデータに変換する。（Ｆ５１）【００２０】従来例にように、画像データのＲＧＢデータをそれぞれテーブルなどで変換を行うと、たとえば（Ｒ，Ｇ，Ｂ）＝（１００，１００，１００）というような灰色のデータが、変換によってたとえば（９０，８０，１１０）というようになってしまい、灰色ではなくなってしまう。一般にデジタルカメラにはホワイトバランス機能があるため、被写体の灰色は灰色に再現されることが多いが、このようなホワイトバランスが取れている画像をＲＧＢデータのままＲＧＢそれぞれのテーブルなどで変換すると、ホワイトバランスが崩れてしまう。【００２１】画像データは、ＲＧＢデータのままだと、Ｒ、Ｇ、Ｂそれぞれのテーブルを変換すると、色相、彩度、明度が変わってしまうが、色相、彩度、明度データに変換して、それぞれのテーブルで変換すれば、他の要素が変わることがない。たとえば、明度データを変換しても、彩度は変わることがない。だから、実施例２のようにＲＧＢデータを明度、色相、彩度のデータに変換してそれぞれをテーブルなどに基づき変換すれば、明度、色相、彩度を変換しても、灰色は灰色のままに変換されるので、ホワイトバランスが崩れることはない。【００２２】以上のように、本発明の第二の実施例によれば、選択された色情報と指定された色票部の明度、彩度、色相それぞれ画像データの対応関係から撮影画像全体の色補正を行うので、たとえば色相を回転させる変換を行ったときに彩度や明度への影響はなく変換することができ、また色相、彩度、明度を変換しても、灰色は灰色に変換されるので、従来例のようにホワイトバランスが崩れるような変換になることはない。このように実施例２では、色票の目標値に近づけるように色票部分の画像色変換する際に、他の色や他の濃度の部分に対しても良好な画像変換がなされる。【００２３】また、本発明は以下に説明する実施例３のような構成で行うこともできる。
図６に示すように、本発明の実施例３は被写体１を被写体の色と近い色を持つ色票２とともに、灰色の色票７をデジタルカメラ３によって撮影する。図７はコンピューター用モニタに表示された色補正ソフトウェアの表示画面を示す。ソフトウェア６０は画像を表示するウィンドウ６１に画像をロードして表示するが、ウィンドウには、灰色の色票７が表示されている。【００２４】以下図８のフローチャートを用いてソフトウェアの色補正処理の流れを説明する。撮影した画像Ｐをロードして、表示ウィンドウに表示する（Ｆ８０１）。表示された撮影画像の中の灰色の色票部分（図７の７）をマウスのクリック操作などで範囲指定（図７の６５）（Ｆ８０２）、さらに図７のホワイトバランス変換指示ボタン６４をクリックすることによってホワイトバランス変換指示がされる（Ｆ８０５）。【００２５】ホワイトバランスは、表示された撮影画像の中の灰色の色票部分の範囲指定部内の画像データの平均値を算出し（Ｆ８０３）、これらをそれぞれ補正して同じ値になるような係数を算出して、画像全体にかけることで画像の補正を行う（Ｆ８０４）。あとは、実施例２と同様に処理される（Ｆ８０５〜Ｆ８１４）。【００２６】以上のように、本発明の第三の実施例によれば、撮影画像内の白色あるいは灰色部、あるいは、白色あるいは灰色色票の画像データに基づいて、グレイバランスを行う機能を有するので、ホワイトバランスが崩れた画像に対しても良好な画像を得ることができ、例えばｐｈｏｔｏｓｈｏｐなどの汎用の画像処理アプリケーションなどを使用せずに簡単な操作でホワイトバランスをとり、かつ実施例１で説明したような色票に応じた色補正を行うことができる。
【図面の簡単な説明】
【図１】本発明の第一の実施例の色補正システムの色補正方法の全体システムの説明図である。
【図２】本発明の第一の実施例で使用するソフトウェアの画面説明図である。
【図３】本発明の第一の実施例のソフトウェアが色補正する流れを説明したフローチャートを示す。
【図４】本発明の第二の実施例のソフトウェアが色補正する流れを説明したフローチャートを示す。
【図５】本発明の第二の実施例の変換式を示す。
【図６】本発明の第三の実施例の色補正システムの色補正方法の全体システムの説明図である。
【図７】本発明の第三の実施例で使用するソフトウェアの画面説明図である。
【図８】本発明の第三の実施例のソフトウェアが色補正する流れを説明したフローチャートを示す。
【図９】従来例の説明図を示す。
【符号の説明】
【００２７】１…被写体、２…色票、３…カメラ、４…パソコン、５…モニタ、７…灰色の色票、２０２…色票、２０３…被写体、２０３…カメラ
【図１】
2010130682.tif 000003
【図２】
2010130682.tif 000004
【図３】
2010130682.tif 000005
【図４】
2010130682.tif 000006
【図５】
2010130682.tif 000007
【図６】
2010130682.tif 000008
【図７】
2010130682.tif 000009
【図８】
2010130682.tif 000010
【図９】
2010130682.tif 000011